(57)【要約】【課題】組立状態を確実に維持でき、圧縮強度が高いコーナーパッドを提供する。【解決手段】商品１の第１端面２ｂ，２ｄを覆う第１外面部１１と、第１外面部１１に連続して商品１の第２端面２ａ，２ｃにかけて延び、商品１の前面または後面を覆う第１被覆面部１２と、第１外面部１１に連続して商品１の第２端面２ａ，２ｃにかけて延び、商品１の後面または前面を覆う第２被覆面部１３と、第１外面部１１および各被覆面部１２，１３のうちいずれか１面の、商品１の第２端面２ａ，２ｃに位置する端縁に連続し、商品１の第２端面２ａ，２ｃを覆う第２外面部１５と、第２外面部１５に連続し、第１および第２外面部１５との間に緩衝用空間を形成する内壁部１７と、第２外面部１５が連続していない第１および第２被覆面部１２，１３に設けられ、第２外面部１５または内壁部１７との係合により組立状態を維持する係合部３０と、を備えた構成とする。【選択図】図１
2012158369.tif 000002
【特許請求の範囲】
【請求項１】
商品の第１端面の外側を覆う第１外面部と、
前記第１外面部の一側縁に連続し、前記商品の第１端面からこの第１端面と隣接する第２端面にかけて延び、この商品の前面および後面のうち一方を覆う第１被覆面部と、
前記第１外面部の他側縁に連続し、前記商品の第１端面から第２端面にかけて延び、この商品の前面および後面のうち他方を覆う第２被覆面部と、
前記第１外面部および各被覆面部のうちいずれか１面の、前記商品の第２端面に位置する端縁に連続し、この商品の第２端面の外側を覆う第２外面部と、
前記第２外面部に連続し、前記第１および第２外面部との間に緩衝用空間を形成するための内壁部と、
前記第２外面部が連続していない前記第１および第２被覆面部に設けられ、前記第２外面部または前記内壁部との係合により組立状態を維持する係合部と、
を備えることを特徴とするコーナーパッド。
【請求項２】
前記内壁部は、
前記第２外面部に連続し、前記第１および第２被覆面部のうち一方の内側面に重畳するとともに、前記第１および第２外面部の内側縁に沿って位置し、前記商品の第１および第２端面に当接する第１当接段部を形成した略Ｌ字形状の第１壁面部と、
前記第１壁面部の第１当接段部の両側に位置する一対の端縁に連続する連続壁面部と、
前記各連続壁面部に連続し、前記第１および第２被覆面部のうち他方の内側面に重畳するとともに、前記第１および第２外面部の内側縁に沿って位置し、前記商品の第１および第２端面に当接する第２当接段部を形成した略Ｌ字形状の第２壁面部と、
を有することを特徴とする請求項１に記載のコーナーパッド。
【請求項３】
前記内壁部は、前記第１および第２被覆面部のうち一方に前記第２外面部を連続させたもので、
前記第２外面部に連続し、前記第１および第２被覆面部のうち他方の内側面に重畳するとともに、前記第２外面部の内側縁に沿って位置する第１壁面部と、
前記第１壁面部に連続し、前記第２外面部と所定間隔をあけて略平行に位置し、前記商品の第２端面に当接する第２端面当接部と、
前記第２端面当接部に連続し、前記第１および第２被覆面部のうち一方の内側面に重畳するとともに、前記第２外面部の内側縁に沿って位置する第２壁面部と、
前記第１壁面部に隣接し、前記第１および第２被覆面部のうち他方の内側面に重畳するとともに、前記第１外面部の内側縁に沿って位置する第３壁面部と、
前記第２端面当接部に隣接するとともに前記第３壁面部に連続し、前記第１外面部と所定間隔をあけて略平行に位置し、前記商品の第１端面に当接する第１端面当接部と、
前記第２面部に隣接するとともに前記第１端面当接部に連続し、前記第１および第２被覆面部のうち一方の内側面に重畳するとともに、前記第１外面部の内側縁に沿って位置する第４壁面部と、
前記第１および第３壁面部の間、前記第１および第２端面当接部の間、および、前記第２および第４壁面部の間に設けた屈曲部と、
を有することを特徴とする請求項１に記載のコーナーパッド。
【請求項４】
前記第１および第２被覆面部に、内側に折り込んで商品との隙間を調整する折込部を連設したことを特徴とする請求項１乃至請求項３のいずれか１項に記載のコーナーパッド。
【発明の詳細な説明】
【技術分野】
【０００１】
本発明は、商品の角部に配置するコーナーパッドに関するものである。
【背景技術】
【０００２】
特許文献１には、ドアやパネルなどの商品の角部に配置するコーナーパッドが記載されている。このコーナーパッドは、商品の第１端面を覆う第１外面部、および、商品の第１端面に隣接する第２端面を覆う第２外面部を備えている。これら外面部の両側縁には、商品の前面および後面を覆う被覆面部が連設されている。これら被覆面部は、第１および第２外面部を垂直に折り曲げた組立状態で、隣接する被覆面部と面一に位置するように、対向部に４５度の傾斜縁が形成されている。また、このコーナーパッドには、外面部との間に緩衝用空間を形成するための内壁部が設けられている。この内壁部は、被覆面部に連続し、この被覆面部の内側に折り返して重畳される重畳面部と、この重畳面部に連続し、外面部に対して平行に位置して商品の端面に当接する当接面部を有する。また、当接面部には、外面部と被覆面部との屈曲部に向けて傾斜して延びる支持面部が連設されている。
【０００３】
しかし、特許文献１のコーナーパッドは、商品の第１端面に配置する第１部分と第２端面に配置する第２部分とをそれぞれ個別に組み立て、これらを屈曲させて商品に配置するものである。そのため、商品の角部への装着が面倒である。そのうえ、コーナーパッドを形成する紙の腰によって第１部分と第２部分に開きが生じ、商品への装着状態を安定して維持できない。
【０００４】
また、特許文献２には、包装箱のコーナー部に配置する緩衝体が記載されている。この緩衝体は、Ｌ字形状をなす一対の壁面部を備えている。これら壁面部は、一方が包装箱の底側に配置され、他方が上側に配置されて商品を載置する。また、これら壁面部は、両端が連続部によってそれぞれ連設されている。また、この緩衝体は、一方の壁面部に、他方の壁面部の内側面に重畳する重畳面部が支持壁部を介して連設されている。
【０００５】
しかし、この特許文献２に記載の緩衝体は、商品の角部に配置するコーナーパッドとしては使用することができない。即ち、この緩衝体をコーナーパッドとして使用した場合、支持壁部を連設していない面から、商品の第１および第２端面のうち一方が露出するため、商品に傷が付く可能性がある。また、この緩衝体は、一対の壁面部間である幅方向の圧縮強度が弱い。よって、商品を保護するためのコーナーパッドとしての効果を十分に得ることができない。
【先行技術文献】
【特許文献】
【０００６】
【特許文献１】特許４０８７６７１号公報
【特許文献２】特開平８−１３３３４２号公報
【発明の概要】
【発明が解決しようとする課題】
【０００７】
本発明は、組立状態を確実に維持でき、圧縮強度が高いコーナーパッドを提供することを課題とするものである。
【課題を解決するための手段】
【０００８】
前記課題を解決するため、本発明のコーナーパッドは、商品の第１端面の外側を覆う第１外面部と、前記第１外面部の一側縁に連続し、前記商品の第１端面からこの第１端面と隣接する第２端面にかけて延び、この商品の前面および後面のうち一方を覆う第１被覆面部と、前記第１外面部の他側縁に連続し、前記商品の第１端面から第２端面にかけて延び、この商品の前面および後面のうち他方を覆う第２被覆面部と、前記第１外面部および各被覆面部のうちいずれか１面の、前記商品の第２端面に位置する端縁に連続し、この商品の第２端面の外側を覆う第２外面部と、前記第２外面部に連続し、前記第１および第２外面部との間に緩衝用空間を形成するための内壁部と、前記第２外面部が連続していない前記第１および第２被覆面部に設けられ、前記第２外面部または前記内壁部との係合により組立状態を維持する係合部と、を備えた構成としている。
【０００９】
このコーナーパッドは、商品の第１端面を覆う第１外面部の両側に、商品の第１端面から第２端面にかけて延びる第１および第２被覆面部を連設し、これら第１外面部および各被覆面部のうち一面に商品の第２端面を覆う第２外面部を連設している。よって、商品の角部を確実に被覆して保護できるため、外側から商品に傷が付くことを防止できる。また、第２外面部を連設していない第１および第２被覆面部に、第２外面部または内壁部との係合により組立状態を維持する係合部を設けている。そのため、商品の角部に容易に装着し、装着状態を確実に維持できる。さらに、第２外面部には、第１および第２外面部との間に緩衝用空間を形成する内壁部を設けているため、外力による商品への衝撃を確実に緩衝できる。しかも、この内壁部により、一対の被覆面部間である幅方向の圧縮強度を向上できる。
【００１０】
このコーナーパッドでは、前記内壁部は、前記第２外面部に連続し、前記第１および第２被覆面部のうち一方の内側面に重畳するとともに、前記第１および第２外面部の内側縁に沿って位置し、前記商品の第１および第２端面に当接する第１当接段部を形成した略Ｌ字形状の第１壁面部と、前記第１壁面部の第１当接段部の両側に位置する一対の端縁に連続する連続壁面部と、前記各連続壁面部に連続し、前記第１および第２被覆面部のうち他方の内側面に重畳するとともに、前記第１および第２外面部の内側縁に沿って位置し、前記商品の第１および第２端面に当接する第２当接段部を形成した略Ｌ字形状の第２壁面部と、を有することが好ましい。
または、前記内壁部は、前記第１および第２被覆面部のうち一方に前記第２外面部を連続させたもので、前記第２外面部に連続し、前記第１および第２被覆面部のうち他方の内側面に重畳するとともに、前記第２外面部の内側縁に沿って位置する第１壁面部と、前記第１壁面部に連続し、前記第２外面部と所定間隔をあけて略平行に位置し、前記商品の第２端面に当接する第２端面当接部と、前記第２端面当接部に連続し、前記第１および第２被覆面部のうち一方の内側面に重畳するとともに、前記第２外面部の内側縁に沿って位置する第２壁面部と、前記第１壁面部に隣接し、前記第１および第２被覆面部のうち他方の内側面に重畳するとともに、前記第１外面部の内側縁に沿って位置する第３壁面部と、前記第２端面当接部に隣接するとともに前記第３壁面部に連続し、前記第１外面部と所定間隔をあけて略平行に位置し、前記商品の第１端面に当接する第１端面当接部と、前記第２面部に隣接するとともに前記第１端面当接部に連続し、前記第１および第２被覆面部のうち一方の内側面に重畳するとともに、前記第１外面部の内側縁に沿って位置する第４壁面部と、前記第１および第３壁面部の間、前記第１および第２端面当接部の間、および、前記第２および第４壁面部の間に設けた屈曲部と、を有することが好ましい。
このようにすれば、第１および第２外面部の内側に確実に緩衝用空間を形成できるとともに、幅方向の圧縮強度を確実に向上できる。
【００１１】
また、コーナーパッドは、前記第１および第２被覆面部に、内側に折り込んで商品との隙間を調整する折込部を連設することが好ましい。このようにすれば、商品の厚さに応じて確実に装着することができる。具体的には、肉厚が厚い商品の場合には、折込部を第１および第２被覆面部の内側に折り込むことなく、商品の角部に装着する。また、肉厚が薄い商品の場合には、一対の折込部を第１および第２被覆面部の内側に折り込んで、商品の角部に装着する。さらに、中間の肉厚の商品の場合には、一方の折込部だけを第１または第２被覆面部の内側に折り込んで、商品の角部に装着する。
【発明の効果】
【００１２】
本発明のコーナーパッドは、第１および第２外面部と、第１および第２被覆面部により、商品の角部を確実に被覆して保護できるため、商品に傷が付くことを防止できる。また、第２外面部を連設していない第１および第２被覆面部に、組立状態を維持する係合部を設けているため、商品の角部に容易に装着できるとともに、装着状態を確実に維持できる。さらに、第２外面部には第１および第２外面部との間に緩衝用空間を形成する内壁部を設けているため、外力によって加わる商品への衝撃を確実に緩衝できるとともに、幅方向の圧縮強度を向上できる。
【図面の簡単な説明】
【００１３】
【図１】本発明に係る第１実施形態のコーナーパッドを商品に装着した状態を示す斜視図である。
【図２】コーナーパッドの第１組立工程を示す斜視図である。
【図３】コーナーパッドの第２組立工程を示す斜視図である。
【図４】コーナーパッドの第３組立工程を示す斜視図である。
【図５】コーナーパッドの第４組立工程を示す斜視図である。
【図６】第１実施形態のコーナーパッドのブランクを示す平面図である。
【図７】第２実施形態のコーナーパッドを商品に装着した状態を示す斜視図である。
【図８】コーナーパッドの第１組立工程を示す斜視図である。
【図９】コーナーパッドの第２組立工程を示す斜視図である。
【図１０】コーナーパッドの第３組立工程を示す斜視図である。
【図１１】コーナーパッドの第４組立工程を示す斜視図である。
【図１２】第２実施形態のコーナーパッドのブランクを示す平面図である。
【図１３】変形例のコーナーパッドのブランクを示す平面図である。
【発明を実施するための形態】
【００１４】
以下、本発明の実施の形態を図面に従って説明する。
【００１５】
図１は、本発明に係る第１実施形態のコーナーパッド１０を示す。このコーナーパッド１０は、商品１の角部に装着するもので、一対の外面部１１，１５と、一対の被覆面部１２，１３とを備え、これらで囲まれた内部に緩衝用空間を形成する内壁部１７を一体に形成したものである。
【００１６】
本実施形態の商品１は、正面視矩形状をなす所定厚さの基板である。この商品１の外周部には、厚さに相当する端面２ａ〜２ｄが形成されている。これら端面２ａ〜２ｄは、上下および左右の方向性などは規定されていない。そのため、仮に上側端面２ａを第１端面とすると、隣接する第２端面は左側および右側端面２ｂ，２ｄとなる。また、左側端面２ｂを第１端面とすると、隣接する第２端面は上側および下側端面２ａ，２ｃとなる。さらに、下側端面２ｃを第１端面とすると、隣接する第２端面は左側および右側端面２ｂ．ｄとなる。そして、右側端面２ｄを第１端面とすると、隣接する第２端面は上側および下側端面２ａ，２ｃとなる。但し、以下では、左右の端面２ｂ，２ｄを第１端面、上下の端面２ａ，２ｃを第２端面として説明する。
【００１７】
本発明のコーナーパッド１０は、表紙および裏紙の間に波状をなすように中しんを配設した段ボール紙を、周知の紙器打抜装置（図示せず）によって図６に示す連続した一枚のブランクとして打ち抜き、所定部位を折り曲げることにより組み立てられる。
【００１８】
図６に示すように、第１実施形態のコーナーパッド１０のブランクは、中央に商品１の第１端面２ｂ，２ｄの外側を覆う第１外面部１１を備えている。この第１外面部１１は、商品１の厚さである端面２ａ〜２ｄの幅と略同一幅で縦方向に延びる矩形状をなす。
【００１９】
第１外面部１１には、横方向の左側縁に第１被覆面部１２が連設され、右側縁に第２被覆面部１３が連設されている。これら第１外面部１１と被覆面部１２，１３との境界には第１折曲線１４が設けられている。これら被覆面部１２，１３は、第１外面部１１を中心として略対称な直角三角形状をなす。各被覆面部１２，１３は、一方が商品１の前面を覆い、他方が商品１の後面を覆う。また、被覆面部１２，１３は、商品１の第１端面２ｂ，２ｄから第２端面２ａ，２ｃにかけて延び、縦方向の下端縁１２ａ，１３ａが第２端面２ａ，２ｃの外側に平行に位置する。
【００２０】
第１被覆面部１２の下端縁１２ａには、第２端面２ａ，２ｃの外側を覆う第２外面部１５が連設されている。この第２外面部１５は、第１被覆面部１２の下端縁１２ａ全体にかけて横方向に延びる矩形状をなす。第２外面部１５の縦方向の幅は、第２被覆面部１３の肉厚分、第１外面部１１の幅より小さく形成されている。第１被覆面部１２と第２外面部１５との境界には第２折曲線１６が設けられている。
【００２１】
第２外面部１５には、連続した第１被覆面部１２と逆側に位置する下端縁に内壁部１７が連設されている。この内壁部１７は、第１および第２外面部１１，１５との間に緩衝用空間を形成するためのもので、一対の壁面部１８，２５と、これらを連続させる連続壁面部２３Ａ，２３Ｂとを備えている。
【００２２】
第１壁面部１８は、第２外面部１５の下端縁全体にかけて連設された略逆Ｌ字形状のものである。これら第２外面部１５と第１壁面部１８との境界には第３折曲線１９が設けられている。具体的には、第１壁面部１８は、第２外面部１５と平行な横方向に延びる第１緩衝部２０と、第１外面部１１と第１被覆面部１２との境界の第１折曲線１４と平行な縦方向に延びる第２緩衝部２１とを有する。この第１壁面部１８は、組立状態で、第２外面部１５を介して連続する第１被覆面部１２と対向する第２被覆面部１３の内側面に重畳する。また、第２外面部１５と連続した第１緩衝部２０の縁（第３折曲線１９）は、第２外面部１５の内側縁に沿って位置し、第１外面部１１の側に位置する第２緩衝部２１の側縁２１ａは、第１外面部１１の内側縁に沿って位置する。第１および第２緩衝部２０，２１の間には、直角三角形状をなす第１当接段部２２が打ち抜きによって形成されている。この第１当接段部２２は、第１緩衝部２０の側の縁が商品１の第２端面２ａ，２ｃに当接し、第２緩衝部２１の側の縁が商品１の第１端面２ｂ，２ｄに当接する。第１当接段部２２の両側に位置する一対の端縁、即ち、第１および第２緩衝部２０，２１の各端縁は、約４５度の傾斜角度で互いに直線上に位置する傾斜縁とされている。
【００２３】
連続壁面部２３Ａ，２３Ｂは、第１壁面部１８の一対の端縁にそれぞれ連設されている。これら第１壁面部１８と連続壁面部２３Ａ，２３Ｂとの境界には第４折曲線２４が設けられている。連続壁面部２３Ａ，２３Ｂは、組立状態で、第１および第２被覆面部１２，１３間にかけて直角に位置するもので、第１および第２被覆面部１２，１３の肉厚分、第１外面部１１の幅より小さい矩形状に形成されている。
【００２４】
第２壁面部２５は、連続壁面部２３Ａ，２３Ｂに連設され、第１壁面部１８とで四角筒状をなす略Ｌ字形状のものである。連続壁面部２３Ａ，２３Ｂと第２壁面部２５との境界には、第４折曲線２４と平行に位置するように第５折曲線２６が設けられている。具体的には、第２壁面部２５は、連続壁面部２３Ａに連続して第１緩衝部２１と平行な縦方向に延びる第１緩衝部２７と、連続壁面部２３Ｂに連続して第１緩衝部２０と平行な横方向に延びる第２緩衝部２８とを有する。この第２壁面部２５は、組立状態で、第２外面部１５を介して連続した第１被覆面部１２の内側面に重畳する。また、第１緩衝部２７の側縁２７ａは、第２外面部１５の内側縁に沿って位置し、第２緩衝部２８の側縁２８ａは、第１外面部１１の内側縁に沿って位置する。第１および第２緩衝部２７，２８の間には、直角三角形状をなす第２当接段部２９が打ち抜きによって形成されている。この第２当接段部２９は、第１当接段部２２とで略矩形状の打抜部を構成する。第１当接段部２２は、第１緩衝部２７の側の縁が商品１の第２端面２ａ，２ｃに当接し、第２緩衝部２８の側の縁が商品１の第１端面２ｂ，２ｄに当接する。勿論、第２当接段部２９の両側に位置する第１および第２緩衝部２７，２８の各端縁は、約４５度の傾斜角度で互いに直線上に位置する傾斜縁とされている。
【００２５】
本実施形態では、第２外面部１５が連続していない第２被覆面部１３に、第２外面部１５との係合により組立状態を維持する係合部３０が設けられている。この係合部３０は、第２被覆面部１３の下端縁から縦方向下向きに突設した舌片状のものである。第２被覆面部１３と係合部３０との境界には第６折曲線３１が設けられている。そして、第２外面部１５には、係合部３０が挿入されて互いに係合する係合穴３２が設けられている。この係合穴３２は、第２外面部１５の両側に位置する第１被覆面部１２から第１壁面部１８にかけて延びる矩形状の打抜部からなる。また、組立状態で係合穴３２の内側に位置する第２壁面部２５の第１緩衝部２７には、係合穴３２に連通する連通溝３３が打ち抜きによって形成されている。
【００２６】
各面の境界に形成した折曲線のうち、第６折曲線３１を除く第１〜第５の折曲線１４，１６，１９，２４，２６は、肉厚を圧縮するように罫を入れて直線状に形成した折曲部と、この折曲部上に所定間隔をあけてミシン目状に形成した切断部とからなるリード罫により構成されている。また、第６折曲線３１は、肉厚を圧縮するように罫を入れて直線状に形成した折曲部だけからなる汎用の押罫により構成されている。
【００２７】
このコーナーパッド１０のブランクは、打ち抜かれた展開状態のまま所定の納入先に出荷される。そして、商品１を輸送する際に組み立てて装着する。
【００２８】
例えば、図２に示すように、まず、第１壁面部１８に対して連続壁面部２３Ａ，２３Ｂを折り曲げるとともに、連続壁面部２３Ａ，２３Ｂに対して第２壁面部２５を折り曲げる。その後、図３に示すように、第１被覆面部１２に対して第２外面部１５を折り曲げるとともに、第２外面部１５に対して第１壁面部１８を折り曲げる。これにより、第１被覆面部１２と第２壁面部２５とを重畳させる。
【００２９】
ついで、図４に示すように、第１被覆面部１２に対して第１外面部１１を折り曲げるとともに、第１外面部１１に対して第２被覆面部１３を折り曲げる。これにより、第２被覆面部１３と第１壁面部１８とを重畳させる。また、第１および第２壁面部１８，２５の側縁２１ａ，２７ａ，２８ａを、第１および第２外面部１１，１５の内側縁に沿うように位置させる。最後に、図５に示すように、第２被覆面部１３から突出した係合部３０を折り曲げ、係合穴３２の内側に押し込んで係合する。
【００３０】
このようにして１個の商品１に対して４個のコーナーパッド１０を組み立て、図１に示すように、それぞれを商品１の角部に被せるようにして配置する。これにより、商品１の第１端面２ｂ，２ｄおよび第２端面２ａ，２ｃは、第１および第２当接段部２２，２９の端縁に当接した状態をなす。その結果、第１および第２外面部１１，１５と商品１とは、所定間隔（緩衝用空間）をあけて位置する。
【００３１】
このコーナーパッド１０は、商品１の第１端面２ｂ，２ｄを覆う第１外面部１１の両側に、商品１の第２端面２ａ，２ｃにかけて延びる第１および第２被覆面部１２，１３を連設し、第１被覆面部１２に商品１の第２端面２ａ，２ｃを覆う第２外面部１５を連設している。よって、商品１の角部を確実に被覆して保護できるため、外側からの干渉によって商品１に傷が付くことを防止できる。また、第２外面部１５を連設していない第２被覆面部１３に、第２外面部１５との係合により組立状態を維持する係合部３０を設けているため、商品１の角部に容易に装着し、装着状態を確実に維持できる。
【００３２】
さらに、第２外面部１５には、第１および第２外面部１１，１５との間に緩衝用空間を形成する内壁部１７を設けているため、外力による商品１への衝撃を確実に緩衝できる。しかも、この内壁部１７により、一対の被覆面部１２，１３間である幅方向の圧縮強度を向上できる。しかも、内壁部１７は、第１および第２被覆面部１２，１３に重畳するとともに、第１および第２外面部１１，１５の内側縁に沿って位置する第１および第２壁面部１８，２５を有し、これらを連続壁面部２３Ａ，２３Ｂで連設したものであるため、確実に緩衝用空間を形成できるとともに、幅方向の圧縮強度を確実に向上できる。
【００３３】
図７は、第２実施形態のコーナーパッド５０を示す。この第２実施形態では、内壁部５７の構成を変更した点で、第１実施形態と大きく相違する。また、第２実施形態では、装着する商品１の厚さに応じて装着を可能とした点で、更に第１実施形態と相違する。
【００３４】
具体的には、第２実施形態のコーナーパッド５０のブランクは、図１２に示すように、中央に商品１の第１端面２ｂ，２ｄの外側を覆う第１外面部５１を備えている。この第１外面部５１は、肉厚が最も大きい商品１の端面２ａ〜２ｄの幅と略同一幅で縦方向に延びる矩形状をなす。
【００３５】
第１外面部５１には、第１実施形態と同様に、横方向の左側縁に第１被覆面部５２が連設され、右側縁に第２被覆面部５３が連設されている。そして、第１外面部５１と第１および第２被覆面部５２，５３の各境界には、リード罫からなる第１折曲線５４が設けられている。
【００３６】
第２実施形態では、第２被覆面部５３の下端縁に、第２端面２ａ，２ｃの外側を覆う第１実施形態と同様の第２外面部５５が連設されている。そして、これら第２被覆面部５３と第２外面部５５との境界には、押罫からなる第２折曲線５６が設けられている。
【００３７】
そして、第２外面部５５には、連続した第２被覆面部５３と逆側に位置する下端縁に内壁部５７が連設されている。この内壁部５７は、第１および第２外面部５１，５５との間に緩衝用空間を形成するためのもので、第２端面緩衝部５８と、第１端面緩衝部６７と、これらを屈曲可能に連続する屈曲部８０とを備えている。
【００３８】
第２端面緩衝部５８は、第２外面部５５に対して縦方向に連続する第１壁面部５９、第２端面当接部６１、第２壁面部６３および第２外面重畳部６５を備えている。
【００３９】
第１壁面部５９は、第１実施形態の第１壁面部１８の第１緩衝部２０に相当する矩形状のもので、第２外面部５５の下端縁に連続するように横方向に延びている。第２外面部５５と第１壁面部５９との境界には、押罫からなる第３折曲線６０が設けられている。この第１壁面部５９は、組立状態で、第２外面部５５の内側縁に沿って位置するとともに、縦方向に連続した第２被覆面部５３と対向する第１被覆面部５２の内側面に重畳する。
【００４０】
第２端面当接部６１は、第１壁面部５９の下端縁に連続するように横方向に延びる矩形状のものである。第１壁面部５９と第２端面当接部６１との間には、押罫からなる第４折曲線６２が設けられている。この第２端面当接部６１は、組立状態で、第２外面部５５と所定間隔をあけて平行に位置し、商品１の第２端面２ａ，２ｃに当接する。
【００４１】
第２壁面部６３は、第１実施形態の第２壁面部２５の第１緩衝部２７に相当する矩形状のもので、第２端面当接部６１の下端縁に連続するように横方向に延びている。第２端面当接部６１と第２壁面部６３との境界には、押罫からなる第５折曲線６４が設けられている。この第２壁面部６３は、組立状態で、第２外面部５５の内側縁に沿って位置するとともに、縦方向に連続した第２被覆面部５３の内側面に重畳する。
【００４２】
第２外面重畳部６５は、第２壁面部６３の下端縁に連続するように横方向に延びる矩形状のものである。第２壁面部６３と第２外面重畳部６５との境界には、押罫からなる第６折曲線６６が設けられている。この第２外面重畳部６５は、組立状態で、第２外面部５５の内側面に重畳する。
【００４３】
第１端面緩衝部６７は、本実施形態では、第２外面部５５の横方向に隣接する第１外面第１重畳部６８を備えている。そして、この第１外面第１重畳部６８に対して縦方向に連続するように、第１端面緩衝部６７の第１壁面部５９、第２端面当接部６１、第２壁面部６３および第２外面重畳部６５に対して横方向に隣接する第３壁面部７１、第１端面当接部７３、第４壁面部７５および第１外面第２重畳部７７を備えている。
【００４４】
第１外面第１重畳部６８は、第２外面部５５に対して横方向に連続して延びる矩形状のものである。第２外面部５５と第１外面第１重畳部６８との境界には、リード罫からなる第７折曲線６９が設けられている。この第１外面第１重畳部６８は、第１外面部５１および第１被覆面部５２に対して縦方向下側に位置し、これらと切断線７０によって区画されている。また、第１外面第１重畳部６８は、組立状態で、第１外面部５１の内側面に重畳する。
【００４５】
第３壁面部７１は、第１実施形態の第１壁面部１８の第２緩衝部２１に相当する矩形状のもので、第１外面第１重畳部６８の下端縁に連続するとともに、第１壁面重畳部の横方向に屈曲部８０を介して隣接されている。第１外面第１重畳部６８と第３壁面部７１との境界には、押罫からなる第８折曲線７２が設けられている。この第３壁面部７１は、組立状態で、第１外面部５１の内側縁に沿って位置するとともに、第１被覆面部５２の内側面に重畳する。
【００４６】
第１端面当接部７３は、第３壁面部７１の下端縁に連続するように横方向に延びる矩形状のもので、第２端面当接部６１の横方向に屈曲部８０を介して隣接されている。第３壁面部７１と第１端面当接部７３との間には、押罫からなる第９折曲線７４が設けられている。この第１端面当接部７３は、組立状態で、第１外面部５１と所定間隔をあけて平行に位置し、商品１の第１端面２ｂ，２ｄに当接する。
【００４７】
第４壁面部７５は、第１実施形態の第２壁面部２５の第２緩衝部２８に相当する矩形状のもので、第１端面当接部７３の下端縁に連続するとともに、第２外面重畳部６５の横方向に屈曲部８０を介して隣接されている。第１端面当接部７３と第４壁面部７５との境界には、押罫からなる第10折曲線７６が設けられている。この第４壁面部７５は、組立状態で、第１外面部５１の内側縁に沿って位置するとともに、第２被覆面部５３の内側面に重畳する。
【００４８】
第１外面第２重畳部７７は、第４壁面部７５の下端縁に連続するとともに、第２外面重畳部６５の横方向に連続する矩形状のものである。第４壁面部７５と第１外面第２重畳部７７との境界には、押罫からなる第11折曲線７８が設けられている。また、第２外面重畳部６５と第１外面第２重畳部７７との境界には、リード罫からなる第12折曲線７９が設けられている。この第１外面第２重畳部７７は、組立状態で、第１外面部５１の内側面に重畳した第１外面第１重畳部６８の内側面に重畳する。
【００４９】
屈曲部８０は、第１および第３壁面部５９，７１の間、第１および第２端面当接部７３，６１の間、および、第２および第４壁面部６３，７５の間にかけて設けられ、第１および第２端面緩衝部６７，５８を９０度屈曲可能とするものである。この屈曲部８０は、第１および第３壁面部５９，７１の境界に設けた直角二等辺三角形状の打抜部８１Ａと、第２および第４壁面部６３，７５の境界に設けた略直角二等辺三角形状の打抜部８１Ｂとを備えている。これら打抜部８１Ａ，８１Ｂの間に位置する第２および第１端面当接部５８，６７の境界には、一対の折込連続部８２Ａ，８２Ｂが設けられている。右側に位置する折込連続部８２Ａは第２端面当接部６１の横方向に連続し、左側に位置する折込連続部８２Ｂは第１端面当接部７３の横方向に連続する。そして、第２端面当接部６１と折込連続部８２Ａとの境界、一対の折込連続部８２Ａ，８２Ｂの境界、および、第１端面当接部７３と折込連続部８２Ｂとの境界には、それぞれリード罫からなる第13折曲線８３が設けられている。
【００５０】
本実施形態では、第２外面部５５が連続していない第１被覆面部５２と、連続している第２被覆面部５３の両方に、内壁部５７との係合により組立状態を維持する係合部８４が設けられている。この係合部８４は、下端部を連続した押罫からなる第14折曲線８５とし、この第14折曲線８５の両端から逆台形状をなすように切断線８６を設けることにより、切起構造の舌片状としたものである。この係合部８４の第14折曲線８５は、組立状態で第２端面当接部６１と一致するように設けられている。そして、この第２端面当接部６１には、係合部８４が挿入されて互いに係合する係合穴８７が設けられている。この係合穴８７は、第２端面当接部６１の両側に位置する第１壁面部５９から第２壁面部６３にかけて延びる矩形状の打抜部からなる。
【００５１】
また、第２実施形態のコーナーパッド５０は、装着する商品１の厚さに応じて第１および第２被覆面部５２，５３間の隙間を調整する折込部８８Ａ，８８Ｂを備えている。この折込部８８Ａ，８８Ｂは、直角三角形状をなす第１および第２被覆面部５２，５３の傾斜した縁に連設されている。第１および第２被覆面部５２，５３と折込部８８Ａ，８８Ｂの境界には、リード罫からなる第15折曲線８９が設けられている。折込部８８Ａ，８８Ｂは、商品１の肉厚が厚い場合には、両方の折込部８８Ａ，８８Ｂを第１および第２被覆面部５２，５３の内側に折り込むことなく、商品１の角部に装着する。また、商品１の肉厚が薄い場合には、両方の折込部８８Ａ，８８Ｂを第１および第２被覆面部５２，５３の内側に折り込んで、商品１の角部に装着する。さらに、商品１の肉厚が厚くも薄くもない中間の厚さの場合には、折込部８８Ａまたは折込部８８Ｂだけを第１または第２被覆面部５２，５３の内側に折り込んで、商品１の角部に装着する。そして、両方の折込部８８Ａ，８８Ｂを第１および第２被覆面部５２，５３の内側に折り込まない形態（図１０に示す状態）、および、両方の折込部８８Ａ，８８Ｂを第１および第２被覆面部５２，５３の内側に折り込む形態（図１１に示す状態）を考慮して、折込部８８Ａ，８８Ｂは、上側縁を外側下向きに傾斜させ、下端縁を外側上向きに傾斜させた台形状としている。
【００５２】
この第２実施形態のコーナーパッド５０のブランクは、第１実施形態と同様に、打ち抜かれた展開状態のまま所定の納入先に出荷され、商品１を輸送する際に組み立てて装着される。
【００５３】
例えば、図８に示すように、まず、第２および第４壁面部６３，７５に対して第２外面重畳部６５と第１外面第２重畳部７７を折り曲げるとともに、第２および第１端面当接部５８，６７に対して第２および第４壁面部６３，７５を折り曲げる。また、第１および第３壁面部５９，７１に対して第２および第１端面当接部５８，６７を折り曲げるとともに、第２外面部５５と第１外面第１重畳部６８に対して第１および第３壁面部５９，７１を折り曲げる。
【００５４】
ついで、図９に示すように、第２被覆面部５３に対して第２外面部５５を折り曲げる。その後、屈曲部８０を支点として第２および第１端面緩衝部５８，６７を折り曲げて屈曲させる。具体的には、屈曲部８０は、第２端面当接部６１と折込連続部８２Ａの間を山折りするとともに、第１端面当接部７３と折込連続部８２Ｂの間を山折りし、かつ、折込連続部８２Ａ，８２Ｂの間を谷折りすることにより、図示のように９０度に屈曲させることができる。これにより、第２および第４壁面部６３，７５を第２被覆面部５３の内側面に重畳させる。
【００５５】
その後、図１０に示すように、第２被覆面部５３に対して第１外面部５１を折り曲げるとともに、第１外面部５１に対して第１被覆面部５２を折り曲げる。これにより、第１および第３壁面部５９，７１と第１被覆面部５２とが重畳するとともに、第１外面第１重畳部６８と第１外面部５１とが重畳する。最後に、図１１に示すように、第１および第２被覆面部５２，５３に形成した各係合部８４，８４を内向きに折り曲げ、内壁部５７の係合穴８７に押し込んで係合する。
【００５６】
このようにして４個のコーナーパッド５０を組み立て、商品１の肉厚が薄いものである場合には、折込部８８Ａ，８８Ｂを第１および第２被覆面部５２，５３に対して内側に折り込み、図７に示すように、それぞれを商品１の角部に被せるようにして配置する。これにより、商品１の第１端面２ｂ，２ｄおよび第２端面２ａ，２ｃは、それぞれ第１および第２端面当接部７３，６１に当接した状態をなす。その結果、第１および第２外面部５１，５５と商品１とは、所定間隔（緩衝用空間）をあけて位置する。
【００５７】
この第２実施形態のコーナーパッド５０は、第１実施形態と同様の作用および効果を得ることができる。しかも、第２実施形態のコーナーパッド５０は、商品１の肉厚に応じて第１および第２被覆面部５２，５３の間の隙間を調整する折込部８８Ａ，８８Ｂを設けているため、汎用性を高めることができるとともに、商品１の角部に確実に装着し、脱落も確実に防止できる。
【００５８】
なお、本発明のコーナーパッドは、前記実施形態の構成に限定されるものではなく、種々の変更が可能である。
【００５９】
例えば、商品１の第２端面２ａ，２ｃを被覆する第２外面部１５，５５は、第１実施形態では第１被覆面部１２に連設し、第２実施形態では第２被覆面部５３に連設したが、図１３に示すように、第１外面部１１に連設する構成としてもよい。また、この図１３に示すように、第１実施形態のコーナーパッド１０においても、第１および第２外面部１１，１５を肉厚が最も大きい商品１の端面２ａ〜２ｄの幅と略同一幅に設け、第１および第２被覆面部１２，１３に折込部８８Ａ，８８Ｂを設ける構成としてもよい。
【符号の説明】
【００６０】
１…商品
２ｂ，２ｄ…第１端面
２ａ，２ｃ…第２端面
１０…コーナーパッド
１１…第１外面部
１２…第１被覆面部
１３…第２被覆面部
１５…第２外面部
１７…内壁部
１８…第１壁面部
２３Ａ，２３Ｂ…連続壁面部
２５…第２壁面部
３０…係合部
３２…係合穴
５０…コーナーパッド
５１…第１外面部
５２…第１被覆面部
５３…第２被覆面部
５５…第２外面部
５７…内壁部
５８…第２端面緩衝部
５９…第１壁面部
６１…第２端面当接部
６３…第２壁面部
６７…第１端面緩衝部
７１…第３壁面部
７３…第１端面当接部
７５…第４壁面部
８０…屈曲部
８４…係合部
８７…係合穴
８８Ａ，８８Ｂ…折込部
【図１】
2012158369.tif 000003
【図２】
2012158369.tif 000004
【図３】
2012158369.tif 000005
【図４】
2012158369.tif 000006
【図５】
2012158369.tif 000007
【図６】
2012158369.tif 000008
【図７】
2012158369.tif 000009
【図８】
2012158369.tif 000010
【図９】
2012158369.tif 000011
【図１０】
2012158369.tif 000012
【図１１】
2012158369.tif 000013
【図１２】
2012158369.tif 000014
【図１３】
2012158369.tif 000015